(57)【特許請求の範囲】
【請求項１】
眼鏡フレームに装着された左右の眼鏡レンズのフィッティングポイント同士の距離および／または前記左右の眼鏡レンズの一方の眼鏡レンズのフィッティングポイントの前記眼鏡フレームの中心からの距離を測定するための装置であって、
前記左右の眼鏡レンズのフィッティングポイントにそれぞれ対応する位置に、基盤上を水平方向に移動する左右の測定子と、
前記左右の測定子同士の距離および／または前記左右の測定子の一方の測定子の前記眼鏡フレームの中心からの距離を示すための距離表示手段とを有し、
前記左右の測定子は、それぞれ、
前記眼鏡フレームの上下方向に延びた基準線が設けられた基準壁面と、
前記基準壁面と前記眼鏡レンズとの間に配置されるマスクとを含み、
前記マスクは、前記基準線の垂線方向に開いたスリットであって、前記基準線より幅広で中心が前記基準線の垂線上にあるスリットを備えている、眼鏡用測定装置。
【請求項２】
請求項１において、前記基準壁面には、前記基準線と交差し、前記眼鏡フレームの左右方向に延びた補助線が設けられている、眼鏡用測定装置。
【請求項３】
請求項１または２において、前記左右の測定子のそれぞれは、さらに、前記マスクの前記スリットの左右の対称な位置に配置され、前記マスクと前記基準壁面とにわたる左右の補助壁を含む、眼鏡用測定装置。
【請求項４】
請求項３において、前記左右の補助壁は、それぞれ、前記スリットのエッジから左右に後退した位置に設けられている、眼鏡用測定装置。
【請求項５】
請求項１ないし４のいずれかにおいて、前記スリットの幅は１ｍｍ程度であり、前記基準壁面と前記マスクとの間隔は３〜１５ｍｍである、眼鏡用測定装置。
【請求項６】
眼鏡フレームに装着された左右の眼鏡レンズのフィッティングポイント同士の距離および／または前記左右の眼鏡レンズの一方の眼鏡レンズのフィッティングポイントの前記眼鏡フレームの中心からの距離を測定装置を用いて測定する方法であって、
前記測定装置は、
前記左右の眼鏡レンズのフィッティングポイントにそれぞれ対応する位置に、基盤上を水平方向に移動する左右の測定子と、
前記左右の測定子同士の距離および／または前記左右の測定子の一方の測定子の前記眼鏡フレームの中心からの距離を示すための距離表示手段とを有し、
前記左右の測定子は、それぞれ、
前記眼鏡フレームの上下方向に延びた基準線が設けられた基準壁面と、
前記基準壁面と眼鏡レンズとの間に配置されるマスクとを含み、
前記マスクは、前記基準線の垂線方向に開いたスリットであって、前記基準線より幅広で中心が前記基準線の垂線上にあるスリットを備えており、
当該方法は、
前記フィッティングポイントと前記基準線とを、前記スリットを介して合わせることを含む、眼鏡の測定方法。
【発明の詳細な説明】
【技術分野】
【０００１】
本発明は、眼鏡フレームに装着された左右の眼鏡レンズのフィッティングポイント同士の距離および／または左右の眼鏡レンズの一方の眼鏡レンズのフィッティングポイントの眼鏡フレームの中心からの距離を測定するための眼鏡用測定装置に関するものである。
【背景技術】
【０００２】
特許文献１に、眼鏡の製造方法が開示されている。眼鏡の製造方法では、組み立てられた眼鏡の仕上げ調整が終了した後、ＰＤ（左右の目の瞳孔間距離）検査などの検査が行われる。
【特許文献１】特開２００１−３１８３５１号公報
【発明の開示】
【発明が解決しようとする課題】
【０００３】
通常、眼鏡レンズ上のフィッティングポイント（眼鏡を掛けたときの目の位置）には、後で除去可能なマークが設けられている。そして、検査工程（検品工程）において、眼鏡フレームに左右の眼鏡レンズが枠入れされた後、それらの眼鏡レンズ上のフィッティングポイントの左右間距離（ＰＤ）の測定（検査）が行われる。眼鏡フレームに枠入れされた眼鏡レンズのフィッティングポイントのＰＤの測定には、従来、板状のスケールが用いられている。眼鏡を作成するために、ユーザの眼の位置（ＰＤ）を測定する際は、水平方向に真っすぐに伸びたスケールが通常用いられる。このため、眼鏡が作成された後の左右の眼鏡レンズのフィッティングポイントの距離を測定して所定のＰＤが得られているか否かを検査するためにも、真っすぐに伸びたスケールによりＰＤを得る必要がある。
【０００４】
近年、顔の丸みに沿ったスポーツグラスのようなラップアラウンド型と呼ばれる眼鏡のユーザが増加している。このようなラップアラウンド型と呼ばれる眼鏡では、眼鏡フレームに取り付けられた眼鏡レンズは顔の丸みに沿った位置になり、眼鏡フレームの上方から見たときに、眼鏡フレームの中心に対して典型的にはＶ字型あるいはＵ字型のアレンジ（水平方向のアレンジ）になる。このため、単純に真っすぐ伸びた板状のスケールであると、顔の丸みに沿った位置の眼鏡レンズ上のフィッティングポイントの位置が離れやすい。眼鏡レンズ上のフィッティングポイントの位置が離れると、測定者の視線がフィッティングポイントと、スケールの目盛と、を通る垂線の方向から斜めになりやすく、ＰＤの測定が正確に測定できない場合がある。
【課題を解決するための手段】
【０００５】
本発明の一態様は、眼鏡フレームに装着された左右の眼鏡レンズのフィッティングポイント同士の距離（ＰＤ）および／または左右の眼鏡レンズの一方の眼鏡レンズのフィッティングポイントの眼鏡フレームの中心からの距離を測定するための装置（眼鏡用測定装置）である。この装置は、左右の眼鏡レンズのフィッティングポイントにそれぞれ対応する位置に、基盤上を水平方向に移動する左右の測定子と、左右の測定子同士の距離および／または左右の測定子の一方の測定子の眼鏡フレームの中心からの距離を示すための距離表示手段とを有する。左右の測定子は、それぞれ、眼鏡フレームの上下方向に延びた基準線が設けられた基準壁面と、その基準壁面と眼鏡レンズとの間に配置されるマスクとを含む。マスクは、基準線の垂線方向に開いたスリットであって、基準線より幅広で中心が基準線の垂線上にあるスリットを備えている。
【０００６】
この装置によれば、測定者の視線がフィッティングポイントを通り、さらに、基準線の垂線方向とほぼ一致する場合に限り、基準壁面と眼鏡レンズとの間にあるマスクの、基準線の垂線方向に開いたスリットを介して、基準線が見える。さらに、測定者の視線がフィッティングポイントを通り、基準線の垂線方向と一致する場合には、基準線がスリットの真中に見える。測定者の視線がフィッティングポイントを通り、基準線の垂線方向とほぼ一致するが、多少斜めであると、スリットを介して見える基準線がスリットの真中に見えず、左右のいずれかにずれて見える。
【０００７】
このように、この装置によれば、スリットを介して基準線を見ることにより、測定者は、ＰＤを測定する際の視線を、フィッティングポイントと、距離表示手段を用いて距離を測定するための測定子の基準線とを通る垂線の方向に合わせることができる。さらに、測定者は、スリットを介して見える基準線がスリットの真中に見えるように、自身の視線を調整することにより、フィッティングポイントと基準線とを通る垂線の方向に対して視線が微妙に斜めになることも抑制できる。このため、基準壁面の基準線とフィッティングポイントとがある程度離れている場合であっても、距離表示手段によって左右の測定子同士の距離（ＰＤ）を測定することにより、眼鏡フレームに装着された左右の眼鏡レンズのフィッティングポイント同士の距離（ＰＤ）を正確に測定することができる。また、左右の測定子の一方の測定子の眼鏡フレームの中心からの距離を測定することにより、左右の眼鏡レンズの一方の眼鏡レンズのフィッティングポイントの眼鏡フレームの中心からの距離も正確に測定することができる。
【０００８】
このため、この装置によれば、ラップアラウンド型と呼ばれるような、フィッティングポイントの位置が測定子と離れやすく、フィッティングポイントと測定子との距離が大きくなりやすい眼鏡であっても、眼鏡フレームに装着された左右の眼鏡レンズのフィッティングポイント同士の距離（ＰＤ）および／または左右の眼鏡レンズの一方の眼鏡レンズのフィッティングポイントの眼鏡フレームの中心からの距離を、誤差が少ない状態で測定することができる。
【０００９】
この装置では、それぞれの測定子の基準壁面に、基準線と交差し、眼鏡フレームの左右方向に延びた補助線が設けられていることが好ましい。測定者の視線がフィッティングポイントと基準線とを通る垂線の方向である場合、基準線と補助線との交点は、視認される補助線の中点（スリットを介して見える補助線の中点）となり、基準線の両側に延びた補助線の長さは同じとなる。測定者の視線がフィッティングポイントを通る垂線の方向に対して斜めであると、基準線と補助線との交点は、視認される補助線の中点からずれ、見える補助線の長さが左右で異なる。したがって、この装置によれば、測定者は、さらに容易に視線の向きを基準線に対して垂直（垂線）方向に合わせやすい。
【００１０】
また、この装置では、左右の測定子のそれぞれは、さらに、マスクのスリットの左右の対称な位置に配置され、マスクと基準壁面とにわたる左右の補助壁を備えることが好ましい。測定者の視線の向きが、フィッティングポイントと基準線とを通る垂線の方向に一致していると、左右の補助壁は両方とも見えない、若しくは、左右の補助壁はほぼ同じ大きさで見える。一方、測定者の視線の向きが、フィッティングポイントと基準線とを通る垂線の方向に対して斜めであると、一方の補助壁が大きく見える。このため、測定者は、自身の視線がフィッティングポイントを通る垂線の方向であるか否かをより認識しやすく、さらに容易に視線の向きを基準線に対して垂直（垂線）方向に合わせやすい。
【００１１】
この場合、補助壁は、スリットのエッジから左右に離れた位置（後退した位置）に設けられていてもよい。このようなアレンジにすることにより、測定者の視線の向きが、フィッティングポイントと基準線とを通る垂線の方向に一致していると、左右の補助壁は両方とも見えず、測定者の視線の向きが、フィッティングポイントと基準線とを通る垂線の方向に対して斜めであると、一方の補助壁が見えるようにできる。また、補助線と組み合わせることにより、補助壁同士の間で補助線が見える範囲が広がるので、補助線を用いて視線の方向を合わせることも容易になる。
【００１２】
この装置において、スリットの幅は１ｍｍ程度であり、基準壁面とマスクとの間隔は３〜１５ｍｍであることが好ましい。
【００１３】
本発明の他の態様は、眼鏡フレームに装着された左右の眼鏡レンズのフィッティングポイント同士の距離および／または左右の眼鏡レンズの一方の眼鏡レンズのフィッティングポイントの眼鏡フレームの中心からの距離を測定装置を用いて測定する方法である。測定装置は、左右の眼鏡レンズのフィッティングポイントにそれぞれ対応する位置に、基盤上を水平方向に移動する左右の測定子と、左右の測定子同士の距離および／または左右の測定子の一方の測定子の眼鏡フレームの中心からの距離を示すための距離表示手段とを有する。左右の測定子は、それぞれ、眼鏡フレームの上下方向に延びた基準線が設けられた基準壁面と、基準壁面と眼鏡レンズとの間に配置されるマスクとを含む。マスクは、それぞれ、基準線の垂線方向に開いたスリットであって、基準線より幅広で中心が基準線の垂線上にあるスリットを備えている。当該方法は、フィッティングポイントと基準線とをスリットを介して合わせること（合わせる工程）を含む。
【００１４】
この方法によれば、フィッティングポイントと基準線とをスリットを介して合わせることにより、ラップアラウンド型と呼ばれるような、フィッティングポイントと基準線との距離が離れる（大きくなる）眼鏡であっても、眼鏡フレームに装着された左右の眼鏡レンズのフィッティングポイント同士の距離（ＰＤ）および／または左右の眼鏡レンズの一方の眼鏡レンズのフィッティングポイントの眼鏡フレームの中心からの距離を、誤差が少ない状態で測定することができる。
【発明を実施するための最良の形態】
【００１５】
以下、図面を参照して、本発明の一実施形態について説明する。図１は、本発明の一実施形態にかかる眼鏡用測定装置を示している。図２は、眼鏡の一例を示している。図３は、図１の眼鏡用測定装置の概略構成を示している。
【００１６】
この眼鏡用測定装置１は、例えば、ラップアラウンド型と呼ばれる眼鏡のＰＤを測定するのに適している。ラップアラウンド型と呼ばれる眼鏡は、顔の丸みに沿ったスポーツグラスのような眼鏡１００であり、その左右の眼鏡レンズ１０１Ｌおよび１０１Ｒは、眼鏡フレーム１０２の中心Ｃに対して後退した位置にある。すなわち、左右の眼鏡レンズ１０１Ｌおよび１０１Ｒの水平方向のアレンジは、図３に示すように、眼鏡フレーム１０２の上方から見たときに、略Ｕ字型あるいは略Ｖ字型になっている。この眼鏡用測定装置１は、このようなアレンジの左右の眼鏡レンズ１０１Ｌおよび１０１ＲのフィッティングポイントＦＬおよびＦＲ同士の距離（ＰＤ）を測定する際に好適である。また、この眼鏡用測定装置１は、このようなアレンジの左右の眼鏡レンズ１０１Ｌおよび１０１Ｒの一方の眼鏡レンズ１０１Ｌまたは１０１ＲのフィッティングポイントＦＬまたはＦＲの眼鏡フレーム１０２の中心Ｃからの距離（１／２ＰＤ）を測定する際に好適である。
【００１７】
左右の眼鏡レンズ１０１Ｌおよび１０１ＲのフィッティングポイントＦＬおよびＦＲ同士の距離（ＰＤ）を測定することにより、左右のフィッティングポイントＦＬおよびＦＲの位置と左右の目の瞳孔の位置とが合っているかどうかを検査（検品）することができる。また、眼鏡フレーム１０２のデザインなどにより、左のフィッティングポイントＦＬの眼鏡フレーム１０２の中心Ｃからの距離と、右のフィッティングポイントＦＲの眼鏡フレーム１０２の中心Ｃからの距離とが異なる場合には、これらを独立して測定することもできる。
【００１８】
本例の眼鏡用測定装置１は、基盤（ベース）１０と、眼鏡取付け部１１と、フレーム高さ位置調整部１２と、左右の測定子１３Ｌおよび１３Ｒと、基盤１０に沿って水平方向に延びたスケール（距離表示手段）１４とを備えている。眼鏡取付け部１１は、眼鏡フレーム１０２の中央に当たる鼻当て部分１０３を保持可能であり、この眼鏡取付け部１１に眼鏡１００をセットすることにより、基盤１０に眼鏡１００がセットされる。測定装置１において、この眼鏡取付け部１１は、眼鏡フレーム１０２の中心Ｃの位置を決めるものである。フレーム高さ位置調整部１２は、眼鏡１００の上下位置の設定に用いるものであり、このフレーム高さ位置調整部１２を操作することにより、眼鏡１００の基盤１０に対する高さを調整することができる。
【００１９】
左右の測定子１３Ｌおよび１３Ｒは、それぞれ、基盤１０にセットされた眼鏡１００の左右の眼鏡レンズ１０１Ｌおよび１０１ＲのフィッティングポイントＦＬおよびＦＲにそれぞれ対応する位置に、基盤１０上を水平方向に移動する。左右の測定子１３Ｌおよび１３Ｒは、それぞれ、測定子位置調整部１６Ｌおよび１６Ｒを回転させることにより、独立して、水平方向に移動する。
【００２０】
スケール１４は、ＰＤを測定する精度に基づいた所定の間隔で目盛りが設けられている。スケール１４と、左右の測定子１３Ｌおよび１３Ｒとは、それら同士の距離を示すように関連付けられている。スケール１４と、左右の測定子１３Ｌおよび１３Ｒとは、左右の測定子１３Ｌおよび１３Ｒの一方の測定子１３Ｌまたは１３Ｒの眼鏡フレーム１０２の中心Ｃからの距離を示すように関係付けられていてもよい。したがって、左右の測定子１３Ｌおよび１３Ｒを、基盤１０にセットされた眼鏡１００の左右の眼鏡レンズ１０１Ｌおよび１０１ＲのフィッティングポイントＦＬおよびＦＲにそれぞれ対応する位置に動かすことにより、眼鏡を作成するためにユーザの眼の位置（ＰＤ）を測定する際と同じ条件でＰＤを測定することができる。
【００２１】
左右の測定子１３Ｌおよび１３Ｒは、それぞれ、眼鏡フレーム１０２の上下方向に延びた基準線２１Ｌおよび２１Ｒが設けられた基準壁面２２Ｌおよび２２Ｒと、基準壁面２２Ｌおよび２２Ｒの眼鏡レンズ１０１Ｌおよび１０１Ｒの側に配置されたマスク２３Ｌおよび２３Ｒとを含んでいる。マスク２３Ｌおよび２３Ｒは、基準壁面２２Ｌおよび２２Ｒと、眼鏡レンズ１０１Ｌおよび１０１Ｒとの間に配置される。基準線２１Ｌおよび２１Ｒは、それぞれ、基準壁面２２Ｌおよび２２Ｒの中央に設けられている。マスク２３Ｌおよび２３Ｒは、それぞれ、基準線２１Ｌおよび２１Ｒの垂線方向に開いたスリット２４Ｌおよび２４Ｒを備えている。スリット２４Ｌおよび２４Ｒは、それぞれ、基準線２１Ｌおよび２１Ｒより幅広であって、その中心が基準線２１Ｌおよび２１Ｒの垂線上に位置している。
【００２２】
また、マスク２３Ｌは、図４および図５に示すように、スリット２４Ｌの左右の対称な位置に、基準壁面２２Ｌに向かって突き出た補助壁２５Ｌａおよび２５Ｌｂを備えている。これらの補助壁（側壁）２５Ｌａおよび２５Ｌｂは、基準壁面２２Ｌと、対応するマスク２３Ｌにわたって形成されている。同様に、マスク２３Ｒは、スリット２４Ｒの左右の対称な位置に、基準壁面２２Ｒに向かって突き出た補助壁２５Ｒａおよび２５Ｒｂを備えている。
【００２３】
本例では、スリット２４Ｌおよび２４Ｒの幅はそれぞれ１ｍｍである。基準壁面２２Ｌとマスク２３Ｌとの間、および基準壁面２２Ｒとマスク２３Ｒとの間は、それぞれ、３〜１５ｍｍが好ましい。本例では、スリット２４Ｌおよび２４Ｒの幅はそれぞれ１ｍｍである。基準壁面２２Ｌとマスク２３Ｌとの間、および基準壁面２２Ｒとマスク２３Ｒとの間は、それぞれ、１０ｍｍである。
【００２４】
図４は、図１の眼鏡用測定装置１を用いてＰＤを測定している状態を模式的に示している。図５の（ａ）は、測定者の視線Ｅが、フィッティングポイントＦＬと基準線２１Ｌとを通る垂線Ｌ方向に対して斜めである場合を模式的に示している。図５の（ｂ）は、測定者の視線が斜めであるときの基準線の見え方を示している。図中符号Ｓｅは、スリット２４Ｌおよび２４Ｒのエッジを示している。エッジＳｅは、例えば、左側の測定子１３Ｌであれば、マスク２３Ｌのスリット２４Ｌの左右両側の縁（端）を示す。
【００２５】
この装置１では、以下のようにして、眼鏡フレーム１０２に装着された左右の眼鏡レンズ１０１Ｌおよび１０１ＲのフィッティングポイントＦＬおよびＦＲ同士の距離を測定する。この装置１では、同様に、左右一方の眼鏡レンズ１０１Ｌまたは１０１ＲのフィッティングポイントＦＬまたはＦＲの眼鏡フレーム１０２の中心Ｃからの距離を測定することもできる。
【００２６】
まず、眼鏡取付け部１１に眼鏡１００をセットする。そして、測定子位置調整部１６Ｌおよび１６Ｒを回転させることにより左右の測定子１３Ｌおよび１３Ｒを移動させ、フィッティングポイントＦＬおよびＦＲと基準線２１Ｌおよび２１Ｒとを、スリット２４Ｌおよび２４Ｒを介してそれぞれ合わせる。
【００２７】
左右の眼鏡レンズ１０１Ｌおよび１０１ＲのフィッティングポイントＦＬおよびＦＲは、図２に示すように、それぞれの眼鏡レンズ１０１Ｌおよび１０１Ｒの両側に設けられた隠しマークに基づく所定の条件で得ることができる。たとえば、両側の隠しマークの中央がフィッティングポイントになる。測定装置１にセットされる前に、測定者は、隠しマークに基づき、眼鏡レンズ１０１Ｌおよび１０１Ｒに、フィッティングポイントＦＬおよびＦＲを示すマークをそれぞれ、後で洗浄することなどにより除去できる簡単な方法、例えば、水性インクなどにより記載しておく。
【００２８】
フィッティングポイントＦＬおよびＦＲを基準線２１Ｌおよび２１Ｒに対してそれぞれ合わせるときに、精度良くＰＤを測定するためには、測定者の視線Ｅを基準線２１Ｌおよび２１Ｒの垂線方向に合わせる必要がある。すなわち、測定者は、フィッティングポイントＦＬを見てから測定子１３Ｌを動かし、測定者の視線ＥをフィッティングポイントＦＬと基準線２１Ｌとを通る垂線方向に合わせて、フィッティングポイントＦＬと基準線２１Ｌとの見える位置を一致させる。この装置１においては、測定子１３Ｌを動かして、スリット２４Ｌを介して見える基準線２１Ｌをスリット２４Ｌの真中に合わせる。これにより、測定者の視線Ｅを、フィッティングポイントＦＬと基準線２１Ｌとを通る垂線Ｌ方向に一致できる。次に、測定者の視線ＥをフィッティングポイントＦＲと基準線２１Ｒとを通る垂線方向に合わせて、フィッティングポイントＦＲと基準線２１Ｒとの見える位置を一致させる。この装置１においては、測定子１３Ｒを動かして、スリット２４Ｒを介して見える基準線２１Ｒをスリット２４Ｒの真中に合わせる。左右の順番は逆であってもよい。
【００２９】
そして、スケール１４により、その状態にセットされた左右の測定子１３Ｌおよび１３Ｒ同士の距離（ＰＤ）を測定することにより、測定者は、フィッティングポイントＦＬおよびＦＲ同士の距離（ＰＤ）を正確に得ることができる。また、スケール１４により、その状態にセットされた左右の測定子１３Ｌまたは１３Ｒと、眼鏡フレーム１０２の中心Ｃからの距離を測定することにより、一方の眼鏡レンズ１０１Ｌまたは１０１ＲのフィッティングポイントＦＬまたはＦＲの眼鏡フレーム１０２の中心Ｃからの距離を測定することもできる。
【００３０】
図５（ａ）および（ｂ）は、左側のフィッティングポイントＦＬを測定する際に、測定者の視線ＥがフィッティングポイントＦＬおよび基準線２１Ｌを通る垂線方向に対して斜めの場合を示している。右側のフィッティングポイントＦＲにおいても同様なので説明は省略する。
【００３１】
まず、測定者の視線Ｅが、基準線２１Ｌを通る垂線方向に対して大きく傾いている場合は、基準線２１Ｌと眼鏡レンズ１０１Ｌとの間に配置されているマスク２３Ｌにより、基準線２１Ｌが見えない。したがって、マスク２３Ｌのスリット２４Ｌを介して基準線２１Ｌが見える状態に視線Ｅを調整し、その視野の中にフィッティングポイントＦＬが入るように測定子１３Ｌを移動する。そして、フィッティングポイントＦＬと基準線２１Ｌとが一致するように測定子１３Ｌの位置を微調整する。
【００３２】
その際、視線Ｅが若干でも斜めであると、図５（ｂ）に示すように、スリット２４Ｌを介して見える基準線２１Ｌがスリット２４Ｌの真中に見えず、左右のいずれかにずれて見える。また、視線Ｅが斜めである場合、一方の補助壁、例えば、補助壁２５Ｌａが太く（大きく）見え、他方の補助壁２５Ｌｂは見えない。この状態は、測定者の視線ＥがフィッティングポイントＦＬおよび基準線２１Ｌを通る垂線Ｌの上にないか、あるいは、フィッティングポイントＦＬが基準線２１Ｌを通る垂線Ｌの上にないことを意味する。したがって、測定者は、視線Ｅを動かしたり、測定子１３Ｌを動かすことにより、両方の補助壁２５ＬａおよびＬｂが均等に見えるか、あるいは、両方の補助壁２５ＬａおよびＬｂが見えない状態になるようにする。この処理（動作）により、結果として、フィッティングポイントＦＬを、基準線２１Ｌを通る垂線Ｌの上に精度良く合わせることができ、測定子１３ＬとフィッティングポイントＦＬとの位置を一致（対応）させることができる。
【００３３】
このように、本例の眼鏡用測定装置１および測定方法によれば、基準線２１Ｌから目９の方向に離れて配置されたスリット２４Ｌを介して基準線２１Ｌを見ることにより、視線Ｅを基準線２１Ｌの垂線Ｌの方向に合わせやすい。さらに、基準線２１Ｌがスリット２４Ｌの中で見える位置により、測定者は、自身の視線が基準線２１Ｌに対して垂直であるか、あるいは微小であっても斜めであることを認識できる。したがって、眼鏡フレーム１０２に装着された左側の眼鏡レンズ１０１ＬのフィッティングポイントＦＬが基準線２１Ｌから離れていても、フィッティングポイントＦＬを基準線２１Ｌの垂線Ｌに合わせ、フィッティングポイントＦＬと測定子１３Ｌとの位置を精度よく合わせることができる。同様の処理を右側の眼鏡レンズ１０１ＲのフィッティングポイントＦＲにおいても行うことにより、フィッティングポイントＦＲの位置と、測定子１３Ｒとの位置を精度よく合わせることができる。このため、眼鏡フレーム１０２に装着された左右の眼鏡レンズ１０１Ｌおよび１０１ＲのフィッティングポイントＦＬおよびＦＲ同士の距離（ＰＤ）を正確に測定できる。あるいは、左右一方の眼鏡レンズ１０１Ｌまたは１０１ＲのフィッティングポイントＦＬまたはＦＲの眼鏡フレーム１０２の中心Ｃからの距離を正確に測定できる。
【００３４】
したがって、本例の眼鏡用測定装置１および測定方法によれば、ラップアラウンド型のような、測定子と眼鏡レンズとの間が大きく開く眼鏡１００であって、眼鏡フレーム１０２に装着された左右の眼鏡レンズ１０１Ｌおよび１０１ＲのフィッティングポイントＦＬおよびＦＲ同士の距離（ＰＤ）を誤差が少ない状態で測定することができる。一方のフィッティングポイントＦＬまたはＦＲと、眼鏡フレーム１０２の中心Ｃとの距離についても同様に精度良く得ることができる。
【００３５】
図６は、本発明の他の実施形態にかかる眼鏡用測定装置１を模式的に示すものである。図６の（ａ）は、測定者の視線が斜めである場合を模式的に示している。図６の（ｂ）は、測定者の視線が斜めであるときの基準線の見え方を示している。図６（ａ）および（ｂ）は、左側のフィッティングポイントＦＬを測定する際に、測定者の視線ＥがフィッティングポイントＦＬおよび基準線２１Ｌを通る垂線方向に対して斜めの場合を示している。右側のフィッティングポイントＦＲにおいても同様なので説明は省略する。
【００３６】
この装置１は、基準壁面２２Ｌに、基準線２１Ｌと交差し、眼鏡フレーム１０２の左右方向に延びた補助線３０が設けられている。また、スリット２４Ｌの左右の補助壁２５Ｌａおよび２５Ｌｂは、それぞれ、スリット２４ＬのエッジＳｅから左右に離れた位置（後退した位置）に設けられている。これにより、マスク２３Ｌには、スリット２４Ｌの中央方向に張り出す張出部３１が形成されている。
【００３７】
この装置１において、視線Ｅが、基準線２１Ｌの垂線Ｌの方向であれば、左右の補助壁２５Ｌａおよび２５Ｌｂは張出部３１により見えず、さらに、基準線２１Ｌと補助線３０との交点は、視認される補助線３０の中点（スリット２４Ｌを介して見える補助線３０の中点）になる。すなわち、視認される補助線３０は、基準線２１Ｌに対して左右の長さが等しい。したがって、測定者は、これらの条件が成り立たないことにより、視線Ｅが斜めであることを認識できる。
【００３８】
スリット２４ＬのエッジＳｅから左右に離れた位置に、補助壁２５Ｌａおよび２５Ｌｂを設けているため、測定者の視線がある程度斜めであっても、スリット２４Ｌを介しては、補助壁２５Ｌａまたは２５Ｌｂが見えず、補助線３０の見える範囲が広がる。このため、基準線２１Ｌに対する補助線３０の見え方（長さのアンバランス）が明確になりやすく、補助線３０の中点からのずれ具合を把握しやすい。
【００３９】
この装置１においても、視線Ｅを、それぞれの基準線２１Ｌまたは２１Ｒの垂線Ｌ方向にセットしやすい。このため、基準線２１Ｌおよび２１ＲからフィッティングポイントＦＬおよびＦＲが離れる眼鏡であっても、フィッティングポイントＦＬおよびＦＲ同士の距離（ＰＤ）を正確に測定できる。また、フィッティングポイントＦＬまたはＦＲと眼鏡フレーム１０２の中心Ｃとの距離を正確に測定できる。
【図面の簡単な説明】
【００４０】
【図１】本発明の一実施形態にかかる眼鏡用測定装置を示す斜視図。
【図２】眼鏡の一例を示す正面図。
【図３】図１の眼鏡用測定装置の概略構成を示す図。
【図４】図１の眼鏡用測定装置を用いてＰＤを測定している状態を模式的に示す図。
【図５】（ａ）は、測定者の視線が斜めである場合を模式的に示す図、（ｂ）は、測定者の視線が斜めであるときの基準線の見え方を示す図。
【図６】本発明の他の実施形態にかかる眼鏡用測定装置を模式的に示すものであり、（ａ）は、測定者の視線が斜めである場合を模式的に示す図、（ｂ）は、測定者の視線が斜めであるときの基準線の見え方を示す図。
【符号の説明】
【００４１】
１    眼鏡用測定装置、  １０    基盤
１３Ｌ、１３Ｒ    左右の測定子、  １４    スケール（距離表示手段）
２１Ｌ、２１Ｒ    基準線、  ２２Ｌ、２２Ｒ    基準壁面
２３Ｌ、２３Ｒ    マスク、  ２４Ｌ、２４Ｒ    スリット
２５Ｌａ、２５Ｌｂ、２５Ｒａ、２５Ｒｂ    補助壁、    ３０    補助線
ＦＬ、ＦＲ    左右のフィッティングポイント
【図１】
0004893612.tif 000002
【図２】
0004893612.tif 000003
【図３】
0004893612.tif 000004
【図４】
0004893612.tif 000005
【図５】
0004893612.tif 000006
【図６】
0004893612.tif 000007